(57)【要約】【課題】足の蹴り出しによって生じる運動エネルギの損失のより一層の低減に寄与する中敷を提供すること。【解決手段】中敷（１０）は接足部（１２）を備える。接足部は、互いに相対する表面（１４）及び裏面（１６）を有し、また、連続して伸びる前縁（１８）、後縁（２０）、内側縁（２２）及び外側縁（２４）を有する。接足部は、その表面に足底の母指球を受け入れる窪み（３４）と、盛り上がり（３６）とを有する。盛り上がりは窪みに対して後縁の側にあって窪みの側壁に連なる斜面（３６ａ）を有する。【選択図】図１
2019051002.tif 000002
【特許請求の範囲】
【請求項１】
互いに相対する表面（１４）及び裏面（１６）を有し、また、連続して伸びる前縁（１８）、後縁（２０）、内側縁（２２）及び外側縁（２４）を有する板状の接足部（１２）を備え、
前記接足部はその表面に足底の母指球を受け入れる窪み（３４）と、盛り上がり（３６）とを有し、
前記盛り上がりは前記窪みに対して前記後縁の側にあって前記窪みの側壁に連なる斜面（３６ａ）を有する、中敷（１０）。
【請求項２】
さらに、前記接足部の表面に接着され、前記窪みの底及び側壁と前記盛り上がりの斜面とを覆う板状の柔らかい緩衝材（５０）を備える、請求項１に記載の中敷。
【請求項３】
さらに、前記接足部の裏面に接着され、前記裏面を足底の踵から土踏まず下のアーチ状の領域を覆う補強シェルを備える、請求項１又は２に記載の中敷。
【請求項４】
前記中敷は靴の本底と一体になった、請求項１〜３のいずれか１項に記載の中敷。
【発明の詳細な説明】
【技術分野】
【０００１】
本発明は、靴の本底の上に敷かれる、後入れや取り外しが可能である中敷（インナーソール）、及び、本底と一体になった中敷（インソール）に関する。
【背景技術】
【０００２】
従来、靴と足との間の相対移動、特に靴に対する足の前後方向への滑りを抑制することを可能とする中敷が提案されている（後記特許文献１参照）。この中敷は、足底の接触を受ける表面に足の母指球を受け入れる窪みを有する。窪みはこれに受け入れられた足の母指球の動きを拘束し、これにより歩行時又は走行時における中敷したがって靴に対する足の滑りが抑制される。その結果、地面に対する足の蹴り出しによって生じる運動エネルギの損失が低減される。
【先行技術文献】
【特許文献】
【０００３】
【特許文献１】特開２００６−１９８３９９号公報
【発明の概要】
【発明が解決しようとする課題】
【０００４】
本発明は、足の蹴り出しによって生じる運動エネルギの損失のより一層の低減に寄与する中敷の提供を目的とする。
【課題を解決するための手段】
【０００５】
本発明に係る中敷は、互いに相対する表面及び裏面を有し、また、連続して伸びる前縁、後縁、内側縁及び外側縁を有する板状の接足部を備える。前記接足部はその表面に足底の母指球を受け入れる窪みと、盛り上がりとを有する。前記盛り上がりは前記窪みに対して前記後縁の側にあって前記窪みの側壁に連なる斜面を有する。前記中敷は靴の本底の上に取り外し可能に敷かれるインナーソールとして、あるいは、本底と一体になったインソールとして使用される。
【０００６】
前記中敷の接足部の窪みは、前記中敷が敷かれ又は本底と一体になった靴を履いての歩行や走行の際、前記窪みがこれに受け入れられた足底の母指球の動きを拘束し、前記接足部の表面に対する足底の相対移動を抑制する働きをなす。本発明においては、前記盛り上がりが前記窪みに対して前記接側部の後縁の側にあって前記窪みの側壁に連なる斜面を有する。前記盛り上がりの斜面は、前記窪みの側壁と共同して、足の蹴り出しの際、前記窪みに受け入れられた足底の母指球に対して比較的大きい反力を与え、後方へ向けての足底の滑りをより効果的に阻止する働きをなす。その結果、足の蹴り出しによって生じる運動エネルギの損失がより一層低減される。このことは、また、歩行や走行によって生じる疲労を軽減することに寄与する。
【０００７】
前記中敷は、好ましくは、その内側縁に沿って伸びる内側縦アーチサポート部を有する。前記内側縦アーチサポート部はなだらかな山形を呈する上縁を備え、前記上縁は足骨格の載距突起下の対応する位置において最大の高さを有する。これによれば、前記内側縦アーチサポート部が内側靭帯部に対してこれを持ち上げる働きをなし、特に走行時における着地の際、足の踵が内側により倒れ込みにくくする。これは、また、比較的大きい着地衝撃を伴うオーバープロネーションの発生及びランニング障害の発生の未然防止に役立つ。
【０００８】
前記中敷は、また、好ましくは、その外側縁に沿って伸びる外側縦アーチサポート部を有する。前記外側縦アーチサポート部は、前記中敷の後縁から足骨格の第５中足骨の骨底の対応する位置の手前まで伸びている。
【０００９】
前記接足部は、好ましくは、さらに、その表面の一部を形成する、足骨格の第２〜４中足骨の中央部下の対応する領域に位置する横アーチサポートを有する。前記横アーチサポートは、歩行時又は走行時に低下することがある足の横アーチを支える働きをなす。
【００１０】
前記中敷は、好ましくは、さらに、前記接足部の裏面に接着され、前記裏面を足底の踵から土踏まず下に至るアーチ状の領域を覆う補強シェルを備える。前記補強シェルは、前記領域において、前記中敷の一部を補強し、また、保形する働きをなす。
【図面の簡単な説明】
【００１１】
【図１】本発明の一実施形態に係る中敷の斜視図である。
【図２】図１に示す中敷の一部を切り欠いて示す斜視図である。
【図３】中敷の平面図である。
【図４】中敷の底面図である。
【図５】中敷をその内側から見た側面図である。
【図６】中敷をその外側から見た側面図である。
【図７】図３の線７−７に沿って得た断面図である。
【図８】図３の線８−８に沿って得た断面図である。
【図９】図３の線９−９に沿って得た断面図である。
【図１０】足の骨格と共に示す、中敷をその内側から見た側面図である。
【図１１】足の骨格と共に示す、中敷の底面図である。
【図１２】本発明の他の実施形態に係る中敷の図２に示すと同様の一部切欠き斜視図である。
【図１３】図１２に示す中敷の図３に示すと同様の平面図である。
【図１４】本発明のさらに他の実施形態に係る中敷についての分解斜視図である。
【図１５】図１４に示す中敷の斜視図である。
【発明を実施するための形態】
【００１２】
図１及び図２を参照すると、本発明の一実施形態に係る中敷が全体に符号１０で示されている。中敷１０は、靴の本底（図示せず）の上に取り外し可能に敷かれ、あるいは、前記靴の本底と一体になった状態で使用に供される。中敷１０は、全体に板状を呈する接足部１２を有する。
【００１３】
接足部１２は、前記靴に足Ａ（図１０参照）を入れたときに足底Ｂが接触する面である表面１４と、表面１４に相対する裏面（底面）１６とを有する。接足部１２は、また、その周囲の外形を規定する周縁を有する。前記周縁は、連続して伸びる前縁１８、後縁２０、内側縁２２及び外側縁２４からなる（図３及び図４参照）。
【００１４】
図示の例において、中敷１０は、さらに、接足部１２の表面１４の後側の部分１４ａ（図１）において取り囲みかつ末広がりに立ち上がる板状のヒールカップ部２６、内側縦アーチサポート部２８及び外側縦アーチサポート部３０を備える。
【００１５】
ヒールカップ部２６、内側縦アーチサポート部２８及び外側縦アーチサポート部３０は、接足部１２の後縁２０、内側縁２２及び外側縁２４に沿ってそれぞれ伸び、また、互いに連なっている。したがって、ヒールカップ部２６、内側縦アーチサポート部２８及び外側縦アーチサポート部３０は、接足部１２と共に、接足部１２の表面１４を含む中敷１０の内面と、接足部１２の裏面１６を含む中敷１０の外面とを形成する。接足部１２、ヒールカップ部２６、内側縦アーチサポート部２８及び外側縦アーチサポート部３０は、ウレタンのような軟質の合成樹脂材料で一体に成形されている。
【００１６】
ヒールカップ部２６は歩行時や走行時における足の踵の横滑りを抑制する働きをなす。内側縦アーチサポート部２８は、歩行時や走行時における両足の内方側への足の踵の倒れ込みを抑制する働きをなす。また、外側縦アーチサポート部３０は、歩行時や走行時に接地する足の踵から爪先への体重移動を安定にする働きをなす。図示の例において、ヒールカップ部２６は、足骨格の踵骨Ｅ（図１０）の周囲をこれに沿って伸びるように形状付けられている。なお、中敷１０は、ヒールカップ部２６、内側縦アーチサポート部２８及び外側縦アーチサポート部３０を有しないものであってもよい。
【００１７】
さらに、図示の例において、中敷１０は、接足部１２の裏面１６に接着され、裏面１６を足底の踵Ｂ２から土踏まずＢ３（図１０参照）下に至るアーチ状の領域を覆う補強シェル３２を備える。より詳細には、補強シェル３２は、接足部１２、ヒールカップ部２６、内側縦アーチサポート部２８及び外側縦アーチサポート部３０の成形時に設けられた、中敷１０の外面１６に開放する凹所３３（図７及び図９参照）に、補強シェル３２を構成する板状体が凹所３３に嵌め込まれかつ接着されている。前記板状体は、厚さ１．０〜３．０ｍｍで曲げ弾性率が１５０〜３，０００Mpaのプラスチック又は強化繊維からなる。
【００１８】
補強シェル３２を構成する前記成形体は、接足部１２、ヒールカップ部２６、内側縦アーチサポート部２８又は外側縦アーチサポート部３０が外力を受けたとき、これに対抗して、あるいは、弾性変形をして、当該部位の外形を保持する働きをなす。なお、中敷１０は、図示の例に代えて、補強シェル３２を有しないものとすることが可能である。
【００１９】
図１及び図３に示すように、接足部１２は、その表面１４に、足底Ｂ（図１０参照）の母指球Ｂ１を受け入れる窪み３４と、盛り上がり３６とを有する。
【００２０】
窪み３４は、底３８と該底に連なる側壁４０（図１〜図３及び図８）とを有する。図示の例において、窪み３４の底３８は楕円形状を呈する平坦な面からなる。窪み３４は、前記楕円形の長径で見て、接足部１２の内側縁２２から外側縁２４に向けて伸びている。窪み３４の側壁４０は、底３８からすり鉢状に末広がりに伸びている。窪み３４に足底Ｂの母指球Ｂ１（図１０参照）が受入られるとき、母指球Ｂ１は窪み３４の底３８上に載り、また、側壁４０によりその周囲を部分的に取り囲まれ、側壁４０に接する。これにより、母指球Ｂ１は窪み３４内に拘束される。これによれば、中敷１０が入れられ又は本底と一体となった靴を履いての歩行時や走行時、足Ａの蹴り出しに際して、母指球Ｂ１の移動が制限され、これにより、接足部１２の表面１４上における足底Ｂの特に前後方向（歩行又は走行の進行方向）への相対移動が抑制される。窪み３４は、他の例として、図３に示す例に比べてより小さい表面積を有する底３８と、より大きい表面積を有する側壁４０とを有するものとすることができる（図１３参照）。
【００２１】
盛り上がり３６は、窪み３４に対して接足部１２の後縁２０の側にあって窪み３４の側壁４０に連なる斜面３６ａを有する（図１、図３）。これによれば、盛り上がり３６は、歩行時や走行時の足Ａの蹴り出しの際、足底Ｂの母指球Ｂ１に対して、母指球ロックにより中敷１０に対する母指球Ｂ１の前後方向への移動を制限する働きをなす。盛り上がり３６の斜面３６ａは、窪み３４の側壁４０の高さ及び面積を実質的に増大する働きをなし、これが、足Ａの蹴り出しの際に接する母指球Ｂ１の後方へ向けての滑り又はその傾向をより効果的に抑制する働きをなす。その結果、足Ａの蹴り出しによって生じる運動エネルギの損失がより一層低減される。また、これにより、歩行や走行によって生じる疲労がより軽減される。
【００２２】
盛り上がり３６は、一例として、接足部１２の後縁２０の側に向けて伸び、また、後縁２０の側に向けて漸減する高さを有し、また、三日月形の横断面形状を有するものとすることができる。さらに、盛り上がり３６は、その平面で見て、接側部１２の前縁１８から後縁２０に向けて先細に伸びるものとすることができる。窪み３４の側壁４０と、これに連なる盛り上がり３６の斜面３６ａとの高さ寸法ｈ（図２）についてはこれを４〜５ｍｍに設定し、窪み３４の側壁４０の高さについてはこれを２〜３ｍｍに設定することができる。また、盛り上がり３６の長さａ及び幅ｂ（図３）は、接足部１２の前縁１８及び後縁２０間の長さに応じて、それぞれ、ａ＝１３〜１７ｍｍ及びｂ＝２６〜３２ｍｍの範囲内の値に設定することができる。例えば、接足部１２の前縁１８及び後縁２０間の長さが２５．０〜２６．０ｃｍのときはａ＝１５．３ｍｍ及びｂ＝２８．７ｍｍに設定することができる。
【００２３】
内側縦アーチサポート部２８は、なだらかな山形を呈する上縁４２（図５）を備える。上縁４２は足骨格Ｃ（図１０）の載距突起Ｃ１下に対応する位置４２ａにおいて最大の高さを有する。これによれば、内側縦アーチサポート部２８が足首の内側靭帯部（図１０に示す丸Ｄで囲まれた範囲にある複数の靭帯）を持ち上げ、これにより、特に走行時における着地の際、踵Ｂ２が内側により倒れ込みにくくすることができる。これは、また、比較的大きい着地衝撃を伴うオーバープロネーションの発生及びランニング障害の発生の未然防止に役立つ。また、外側縦アーチサポート部３０は、ヒールカップ部２６から足骨格Ｃの第５中足骨Ｃ２（図１１）の骨底Ｃ２ａの対応する位置の近傍まで伸びるものとすることができる。
【００２４】
中敷１０は、また、接足部１２の表面１４の一部を規定する横アーチサポート部４４（図３、図７、図９）を有する。横アーチサポート部４４は、足骨格の第２〜４中足骨Ｃ３、Ｃ４、Ｃ５（図１１）の中央部下の対応する領域に位置し、接足部１２の外側縁２４から内側縁２２に向けて伸びる盛り上がりである。横アーチサポート部４４はその盛り上がりにより歩行時又は走行時に低下することがある足Ａの横アーチを支える働きをなす。図示の横アーチサポート部４４は、接足部１２の前縁１８から後縁２０に向けて伸びている。横アーチサポート部４４は、全体に楕円形を呈する輪郭を有し、前記楕円形の長軸が中底中心線Ｌ（図３）とほぼ平行に伸びている。横アーチサポート部４４は、図３に示すように、前記楕円形の長軸が中底中心線Ｌからわずかに接足部１２の外側縁２４寄りに位置するように配置し、あるいは、この位置よりもさらに接足部１２の外側縁２４寄りにあるように（図１３）配置することができる。
【００２５】
図１４及び図１５に示すように、中敷１０は、好ましくは、接足部１２の表面１４に接着された板状の柔らかい緩衝材５０を備える。図示の柔らかい緩衝材５０は円板状を呈し、その両面のうちの一方の面において、窪み３４の底３８及び側壁４０と盛り上がり３６の斜面３６ａとに接着され、これらの底３８、側壁４０及び斜面３６ａを覆っている。また、円板状の柔らかい緩衝材５０の他方の面は、わずかに窪んだ状態にある。柔らかい緩衝材５０は該柔らかい緩衝材上に載せられる足の母指球Ｂ１が歩行時又は走行時に受ける衝撃を和らげる働きをなす。さらに、接足部１２の表面１４に接着され、接足部１２の表面１４および柔らかい緩衝材５０を覆う表層部材（図示せず）を備えるものとすることができる。前記表層部材は、好ましくは、ウレタン、ジェル等からなり、約２〜３ｍｍの厚さ寸法を有する。
【符号の説明】
【００２６】
１０  中敷
１２  接足部
１４  表面
１６  裏面
１８  前縁
２０  後縁
２２  内側縁
２４  外側縁
２６  ヒールカップ部
２８  内側縦アーチサポート部
３０  外側縦アーチサポート部
３２  補強シェル
３４  窪み
３６  盛り上がり
３６ａ  盛り上がりの斜面
３８  窪みの底
４０  窪みの側壁
４２、４２ａ  内側縦アーチサポート部の上縁及びその最大高さ位置
４４  横アーチサポート部
４６  溝
４８  波形の溝
５０  柔らかい緩衝材
【図１】
2019051002.tif 000003
【図２】
2019051002.tif 000004
【図３】
2019051002.tif 000005
【図４】
2019051002.tif 000006
【図５】
2019051002.tif 000007
【図６】
2019051002.tif 000008
【図７】
2019051002.tif 000009
【図８】
2019051002.tif 000010
【図９】
2019051002.tif 000011
【図１０】
2019051002.tif 000012
【図１１】
2019051002.tif 000013
【図１２】
2019051002.tif 000014
【図１３】
2019051002.tif 000015
【図１４】
2019051002.tif 000016
【図１５】
2019051002.tif 000017